(57)【要約】【課題】  屋根の上方に遮熱シートを張設することによって屋根と遮熱シートとの間に空気の断熱層を形成し、屋根の温度が上昇することを防止する屋根用遮熱装置を提供すること。【解決手段】  屋根用遮熱装置は、複数の縦パイプ１１及び複数の横パイプ１２を井桁状に連結及び分解が可能となっている井桁パイプと、連結した井桁パイプを屋根から所定間隔をおいて上方に位置するように井桁パイプと屋根との間に配設される複数のスペーサ３０と、井桁パイプ上に張設されている遮熱シート２０とを有する。井桁パイプ上に張設されている遮熱シート２０によって、屋根に強い日光が直接照射されることがなく、屋根と遮熱シート２０との間に空気の断熱層を形成し換気作用も期待することができるので、屋根の温度上昇に伴う室内温度の上昇を防ぐことができる。【選択図】  図２
0003146171.tif 000002
【実用新案登録請求の範囲】
【請求項１】
複数の縦パイプ及び複数の横パイプを井桁状に連結及び分解が可能となっている井桁パイプと、
連結した井桁パイプを屋根から所定間隔をおいて上方に位置するように井桁パイプと屋根との間に配設される複数のスペーサと、
井桁パイプ上に張設されている遮熱シートとを有することを特徴とする屋根用遮熱装置。
【請求項２】
スペーサは門形に加工されたパイプからなり、門形の上辺にあたる部分が縦パイプ又は横パイプに固定される共に、スペーサの両下端が屋根に載置するようになっていることを特徴とする請求項１に記載の屋根用遮熱装置。
【請求項３】
スペーサの両下端にゴムキャップが取り付けられていることを特徴とする請求項２に記載の屋根用遮熱装置。
【請求項４】
遮熱シートは、方形状のシート本体と、シート本体の一方の面の周囲の側縁に被着される補強用縁部材と、シート本体の周囲の側縁に配設されシート本体及び補強用縁部材を貫通する連結用孔と、連結用孔の周縁に設けられている鳩目とを有し、
シート本体の周囲に配設した連結用孔にロープを挿通して結索することによって隣接した複数の遮熱シートを連結すると共に、井桁パイプに取り付け可能であり、ロープを解くことによって複数の遮熱シートの連結を解除するとともに井桁パイプから取り外し可能であることを特徴とする請求項１乃至３のいずれかに記載の屋根用遮熱装置。
【考案の詳細な説明】
【技術分野】
【０００１】
本考案は、屋根に取り付ける屋根用遮熱装置に関する。
【背景技術】
【０００２】
近年、急激な地球温暖化の影響によって、夏日（日最高気温が２５℃以上の日）、真夏日（日最高気温が３０℃以上の日）、猛暑日（日最高気温が３５℃以上の日）が増加する傾向にある。
【０００３】
夏日、真夏日、猛暑日の暑さを凌ぐために、多くの建造物では、窓を閉めきり空調設備によって建造物の室内気温を快適な範囲に維持できるようになっている。
【考案の開示】
【考案が解決しようとする課題】
【０００４】
しかしながら、夏場においては、建造物の屋根に強い日光が直接照射されて屋根が高温となる。高温になった屋根の熱が室内に伝導することによって室内気温が上昇するので、空調設備の設定温度を下げざるを得ない。空調設備の設定温度を下げると、空調設備の消費電力が増大しＣＯ２排出量増大に繋がる。このＣＯ２排出量増大によって、さらに地球温暖化が進むという悪循環に陥る。
【０００５】
特に屋根が金属の折板屋根からなるプレハブ等の事務所や工場等では、日光が屋根に直接照射によって室内気温が上昇しやすく、快適な室内温度を得るために空調設備の設定温度を下げると、消費電力が増大しＣＯ２排出量増大するという問題がある。
【０００６】
そこで、屋根の上方に遮熱シートを張設することによって屋根と遮熱シートとの間に空気の断熱層を形成し、屋根の温度が上昇することを防止する屋根用遮熱装置を提供することを目的とする。
【課題を解決するための手段】
【０００７】
上記課題を解決するため、請求項１の屋根用遮熱装置は、複数の縦パイプ及び複数の横パイプを井桁状に連結及び分解が可能となっている井桁パイプと、連結した井桁パイプを屋根から所定間隔をおいて上方に位置するように井桁パイプと屋根との間に配設される複数のスペーサと、井桁パイプ上に張設されている遮熱シートとを有する。
【０００８】
請求項２の屋根用遮熱装置は、スペーサは門形に加工されたパイプからなり、門形の上辺にあたる部分が縦パイプ又は横パイプに固定される共に、スペーサの両下端が屋根に載置するようになっている。
【０００９】
請求項３の屋根用遮熱装置は、スペーサの両下端にゴムキャップが取り付けられている。
【００１０】
請求項４の屋根用遮熱装置は、遮熱シートが方形状のシート本体と、シート本体の一方の面の周囲の側縁に被着される補強用縁部材と、シート本体の周囲の側縁に配設されシート本体及び補強用縁部材を貫通する連結用孔と、連結用孔の周縁に設けられている鳩目とを有し、シート本体の周囲に配設した連結用孔にロープを挿通して結索することによって隣接した複数の遮熱シートを連結すると共に、井桁パイプに取り付け可能であり、ロープを解くことによって複数の遮熱シートの連結を解除するとともに井桁パイプから取り外し可能である。
【考案の効果】
【００１１】
請求項１の屋根用遮熱装置によれば、井桁パイプ上に張設されている遮熱シートによって、屋根に強い日光が直接照射されることがなく、屋根と遮熱シートとの間に空気の断熱層を形成し換気作用も期待することができるので、屋根の温度上昇に伴う室内温度の上昇を防ぐことができる。したがって、空調設備の設定温度を低くすることによって消費電力量を減少させ、ＣＯ２排出量を削減することができる。
【００１２】
複数の縦パイプ及び複数の横パイプを井桁状に連結及び分解が可能となっていることによって、組み立て容易であるとともに運搬保存に至便である。
【００１３】
請求項２の屋根用遮熱装置によれば、スペーサは、門形に加工されたパイプからなることによって、折板の屋根にも容易に屋根用遮熱装置を設置することができる。
【００１４】
請求項３の屋根用遮熱装置によれば、ゴムキャップによって、屋根の表面を傷つけることなく、屋根に屋根用遮熱装置を設置することができる。
【００１５】
請求項４の屋根用遮熱装置によれば、遮熱シートが取り外し可能であることによって、張設中に遮熱シートが破損しても容易に新しい遮熱シートに交換することができる。また、冬場に屋根の上に積雪が見込まれる地域でも、冬場は遮熱シートを取り外し遮熱シートの破損を防止することができる。
【００１６】
また、ロープを連結用孔に挿通することによって複数の遮熱シートを容易に連結することができるとともに、補強用縁部材によって、ロープの張力によって遮熱シートが破損することを防止できる。
【００１７】
さらに、連結用孔の周縁に鳩目を設けることによって、連結用孔の形状を一定に維持しロープを挿通しやすくするとともに、鳩目が連結用孔とロープとの間の摩擦を低減することができるので、遮熱シートが破損することを防止することができる。
【考案を実施するための最良の形態】
【００１８】
以下、本考案の一実施形態について図面に基づいて説明する。図１は、本考案の一実施形態の屋根用遮熱装置の井桁パイプ１０及びスペーサ３０を屋根４０に設置した状態を示す側方斜視図であり、図２は、遮熱シート２０を井桁パイプ１０上に張設した状態を示す上方斜視図であり、図３は、スペーサ３０及び遮熱シート２０のスペーサ３０近傍及び縁部の部分断面図である。
【００１９】
本実施形態の屋根用遮熱装置は、図１に示すように複数の縦パイプ１１及び複数の横パイプ１２を井桁状に連結及び分解が可能となっている井桁パイプ１０と、井桁パイプ１０を屋根４０から所定間隔をおいて上方に位置するように井桁パイプ１０と屋根４０との間に配設される複数のスペーサ３０と、図２に示すように井桁パイプ１０の縦パイプ１１及び横パイプ１２上に張設されている遮熱シート２０とを有する。本実施形態の屋根用遮熱装置は、図１に示すように折板の屋根４０に設置されている。
【００２０】
井桁パイプ１０上に張設されている遮熱シート２０によって、屋根４０に強い日光が直接照射されることがなく、屋根４０と遮熱シート２０との間に空気の断熱層を形成し換気作用も期待することができるので、屋根４０の温度上昇に伴う室内温度の上昇を防ぐことができる。したがって、空調設備の設定温度を低くすることによって消費電力量を減少させ、ＣＯ２排出量を削減することができる。
【００２１】
本実施形態では、縦パイプ１１及び横パイプ１２は円断面の金属製のパイプである。縦パイプ１１及び横パイプ１２は、縦パイプ１１と横パイプ１２とを交差させた状態で固定する金具１３によって連結されている。
【００２２】
金具１３を着脱することによってパイプ同士の固定及び解除を容易に行うことができるようになっており、縦パイプ１１及び横パイプ１２を井桁状に連結及び分解が可能となっている。複数の縦パイプ１１と複数の横パイプ１２とを井桁状に連結及び分解が可能となっていることによって、組み立て容易であるとともに運搬保存に至便である。
【００２３】
縦パイプ１１及び横パイプ１２は、図示した範囲外において屋根４０に固定されるようになっている。
【００２４】
図１及び図３に示すように、スペーサ３０は、門形に加工された円断面の金属製のパイプからなる。本実施形態では、門形の上辺にあたる部分が縦パイプ１１に金具３１によって固定され、スペーサ３０の両下端が屋根４０に載置するようになっている。スペーサ３０の両下端は、折板の屋根４０の谷にあたる部分に位置する。本実施形態では、スペーサ３０の両下端は折板の屋根４０の折れ線に対して略平行方向に並んでいる。
【００２５】
スペーサ３０が門形に加工されたパイプからなることによって、図１に示すような折板の屋根４０にも容易に屋根用遮熱装置を設置することができる。
【００２６】
図３に示すように、スペーサ３０の両下端にはゴムキャップ３２、３２が取り付けられている。ゴムキャップ３２、３２によって、屋根４０の表面を傷つけることなく、屋根用遮熱装置を設置することができる。
【００２７】
図３に示すように、遮熱シート２０は、シート本体２１と、シート本体２１の屋根４０側の面の周囲の側縁に被着した補強用縁部材２２と、シート本体２１の周囲の側縁に配設されシート本体２１及び補強用縁部材２２を貫通する連結用孔２３と、連結用孔２３の周縁に設けられている鳩目２４とを有する。
【００２８】
図２に示すように、シート本体２１は方形状で、太陽光線反射加工を施された繊維素材で簾状に形成し、軽くて通気性及び遮熱性を有している。又、シート本体２１は生地の表面にアルミ層を蒸着コーティングして成る遮熱用シートを使用することもできる。
【００２９】
補強用縁部材２２は布製又は繊維製ベルトを使用し、シート本体２１の周縁に被着されている。補強用縁部材２２がシート本体２１被着されていることにより、ロープ２５の張力によって遮熱シート２０が連結用孔２３周辺から破損することを防止できる。
【００３０】
また、連結用孔２３の周縁に鳩目２４を設けることによって、連結用孔２３の形状を一定に維持しロープ２５を挿通しやすくするとともに、鳩目２４が連結用孔２３とロープと２５の間の摩擦を低減することができるので、遮熱シート２０が破損することを防止することができる。
【００３１】
図２に示すように、ロープ２５は連結用孔２３に相通されるとともに、遮熱シート２０と遮熱シート２０との間の隙間において縦パイプ１１又は横パイプ１２に巻回されるように結索される。これにより、遮熱シート２０が井桁パイプ１０に取り付けられるようになっている。
【００３２】
また、ロープ２５を解いて連結用孔２３からロープ２５を抜脱することによって、複数の遮熱シート２０の連結を解除するとともに、ロープ２５が縦パイプ１１又は横パイプ１２に巻回している部分を外すことによって、遮熱シート２０を井桁パイプ１０から取り外すことができる。
【００３３】
本実施形態では、縦パイプ１１、横パイプ１２及びスペーサが円断面の金属製のパイプからなる場合について説明したが、これに限定されることなく、円断面以外のパイプであってもよいし、樹脂等の金属以外の材料からなるパイプであってもよい。
【００３４】
本実施形態では、門形の上辺にあたる部分が縦パイプ１１に金具３１によって固定されている場合について説明したが、これに限定されることなく、門の上辺にあたる部分が横パイプ１２に金具３１によって固定されていてもよい。
【００３５】
本実施形態では、スペーサ３０の両下端は折板の屋根４０の折れ線に対して略平行方向に並んでいる場合について説明したが、これに限定されることなく、例えば、スペーサ３０の両下端は折板の屋根４０の折れ線に対して略垂直方向に並んでおり、スペーサ３０の両下端の間に折板の屋根４０の山部が位置するようになっていてもよい。
【００３６】
本実施形態では、縦パイプ１１及び横パイプ１２が金具１３によって連結されている場合について説明したがこれに限定されることなく、例えば、フックバンドで縦パイプ１１及び横パイプ１２を連結してもよいし、結束線をハッカーで巻きつけて縦パイプ１１及び横パイプ１２を連結してもよい。
【００３７】
本実施形態では、屋根用遮熱装置が折板の屋根４０に設置されている場合について説明したがこれに限定されることなく、本発明の屋根用遮熱装置を平板の屋根や切妻屋根等に設置してもよい。
【図面の簡単な説明】
【００３８】
【図１】本考案の一実施形態の屋根用遮熱装置の井桁パイプ１０及びスペーサ３０を屋根４０に設置した状態を示す側方斜視図である。
【図２】遮熱シート２０を井桁パイプ１０上に張設した状態を示す上方斜視図である。
【図３】スペーサ３０及び遮熱シート２０のスペーサ３０近傍及び縁部の部分断面図である。
【符号の説明】
【００３９】
１０  井桁パイプ
１１  縦パイプ
１２  横パイプ
１３  金具
２０  遮熱シート
２１  シート本体
２２  補強用縁部材
２３  連結用孔
２４  鳩目
２５  ロープ
３０  スペーサ
３１  金具
３２  ゴムキャップ
４０  屋根
【図１】
0003146171.tif 000003
【図２】
0003146171.tif 000004
【図３】
0003146171.tif 000005